(57)【特許請求の範囲】
【請求項１】
壁又は天井に取り付けられるよう構成される取付け部と、
前記取付け部に取り付けられるよう構成される照明器具部と、
少なくとも１つの弾性プラグ及び少なくとも１つのスロットであって、前記少なくとも１つの弾性プラグが、対応する前記少なくとも１つのスロットに係合するよう構成され、前記少なくとも１つの弾性プラグ及び対応する少なくとも１つのスロットが、前記照明器具部を前記取付け部に取り付けることを可能にするように、前記取付け部及び前記照明器具部に対して配設される少なくとも１つの弾性プラグ及び少なくとも１つのスロットと、
互いに係合し、前記照明器具部を電源に電気的に接続するための第１電気コネクタ及び第２電気コネクタとを有する照明器具組立体であって、前記取付け部が、レールを更に有し、前記第１電気コネクタ及び第２電気コネクタのうちの一方が、前記レール沿いの任意の適切な位置において前記照明器具部を前記電源に電気的に接続するために前記レールに沿ってスライド可能に前記レールに配設され、前記照明器具部が、前記第１電気コネクタ及び第２電気コネクタのうちの他方を有する照明器具組立体。
【請求項２】
前記少なくとも１つの弾性プラグが可動プランジャーを有する請求項１に記載の照明器具組立体。
【請求項３】
前記対応する少なくとも１つのスロットが、前記照明器具部を前記取付け部から取り外すために前記弾性プラグがアクセス可能である貫通穴である請求項１に記載の照明器具組立体。
【請求項４】
前記取付け部が、ハウジング内に配置される少なくとも１つの弾性プラグを有し、前記ハウジングが、前記弾性プラグを受けるための穴と、前記弾性プラグを前記穴の一方の端部の方へ付勢するための付勢手段とを有する請求項１、２又は３のいずれか一項に記載の照明器具組立体。
【請求項５】
前記付勢手段が、螺旋状ばね又は板ばねである請求項４に記載の照明器具組立体。
【請求項６】
前記弾性プラグが、少なくとも１つの突出部を持ち、前記ハウジングが、少なくとも１つのスロットを持ち、前記少なくとも１つの突出部が、前記少なくとも１つのスロットと係合するよう構成され、前記少なくとも１つのスロットが、前記弾性プラグが挿入されることを可能にし、前記穴が、前記少なくとも１つのスロットを通して前記穴に挿入された前記少なくとも１つの突出部が、前記少なくとも１つのスロットと位置合わせされず、前記穴内に拘束されるように前記弾性プラグが回転されることを可能にするよう構成される請求項４に記載の照明器具組立体。
【請求項７】
前記少なくとも１つの弾性プラグ又は対応する少なくとも１つのスロットのうちの一方が、前記レール上に配設される請求項１乃至６のいずれか一項に記載の照明器具組立体。
【請求項８】
前記少なくとも１つの弾性プラグ又は対応する少なくとも１つのスロットが、前記レールの末端部に配置される請求項７に記載の照明器具組立体。
【請求項９】
前記少なくとも１つの弾性プラグ又は対応する少なくとも１つのスロットが、前記レール沿いの任意の適切な位置において前記照明器具部を前記取付け部に取り付けるために前記レールに沿ってスライド可能に配設される請求項７に記載の照明器具組立体。
【請求項１０】
前記照明器具組立体が、他の少なくとも１つの非弾性プラグ及び他の少なくとも１つのスロットであって、前記他の少なくとも１つの非弾性プラグが、対応する前記他の少なくとも１つのスロットに係合するよう構成され、前記他の少なくとも１つの非弾性プラグ及び対応する他の少なくとも１つのスロットが、前記照明器具部を前記取付け部に取り付けることを可能にするように、前記取付け部及び前記照明器具部に対して配設される他の少なくとも１つの非弾性プラグ及び他の少なくとも１つのスロットを更に有し、前記少なくとも１つの弾性プラグが、前記レール上に配設され、前記他の少なくとも１つの非弾性プラグが、前記レール上に配設される請求項７乃至９のいずれか一項に記載の照明器具組立体。
【発明の詳細な説明】
【技術分野】
【０００１】
本発明は、照明の分野に関し、より詳細には、照明器具に関する。
【背景技術】
【０００２】
従来技術の、照明器具の取り付け方法は、一般に、天井又は壁に取り付けられるべきである取付け金具と、取付け金具に取り付けられるべきである照明器具とを用いる。照明器具の、取付け金具への取り付けは、多くの場合、ねじで留める接続を用いて実現される。これは、照明器具を取り付け金具に接続するための追加の道具、例えば、ねじ及びねじ回しの必要性のために、時として、設置者にとって実施するのが非常に面倒で、困難であり、更に、照明器具が取付け金具に取り付けられる前に、既に、照明器具の、電源への電気的な接続がされていなければならない。 
【０００３】
更に、設置者は、前記設置者の手で照明器具を持ちながら、電気的な接続をし、ねじ及びねじ回しを手にとり、パーツをねじで留める必要がある。
【発明の概要】
【発明が解決しようとする課題】
【０００４】
本発明は、上に挙げられている問題の幾つかに対処しようとするものである。
【課題を解決するための手段】
【０００５】
壁又は天井に取り付けられるよう構成される取付け部と、前記取付け部に取り付ける照明器具部と、少なくとも１つの弾性プラグと、少なくとも１つのスロットとを有する照明器具組立体が開示されている。 
【０００６】
前記弾性プラグは、対応する前記スロットに係合するよう構成され、前記スロット及び前記プラグは、前記照明器具部の、前記取付け部への取り付けを可能にするように、前記取付け部及び前記照明器具部に対して配設される。
【０００７】
好ましくは、前記取付け部及び前記照明器具部は、少なくとも１つの弾性器具を用いて着脱可能に取り付けられる。好ましい実施例においては、前記弾性器具は、対応する穴と協働するよう設計されるばね負荷プラグ又はばね負荷ピンを有する。前記弾性器具は、前記設置者が、既に取り付けられている前記取付け部に対して前記照明器具部を配置し、如何なる工具もなしに２つのパーツを互いに接続することを可能にする。他の好ましい実施例においては、前記対応する穴は、前記ばね負荷プラグ又はばね負荷ピンのばねの負荷力に逆らって前記プラグ又はピンを押すことによって前記照明器具部を前記取付け部から取り外すことを可能にする貫通穴である。この動作は、前記器具を開放し、特定の工具なしに前記照明器具を取り外すことを可能にする。別の実施例においては、前記照明器具部及び前記取付け部は、２つの、例えば、前記組立体の反対側の端部に１つの、上記のような弾性器具を介して、接続され得る。他の例においては、前記照明器具部及び前記取付け部は、前記組立体の一方の端部上の１つの弾性器具、及び前記組立体の他方の端部上の非弾性器具を介して接続されてもよく、前記弾性器具は、対応する穴を備えるばね負荷プラグを有してもよく、前記非弾性器具は、取付け接続をするよう互いに協働する対応する凹部を備える突出部を有してもよい。
【０００８】
好ましくは、前記取付け部は、取り付けられる電気的部分組立品を有する。この部分組立品は、ユニバーサル端子ブロック、及びMATE N LOK（登録商標）コネクタなどのより一様な電気的インタフェースを含み得る。前記ユニバーサル端子ブロックは、前記壁又は天井において利用可能な電線を受けるよう適応される。前記ユニバーサル端子ブロックの利点は、実状の環境に依存して、様々なタイプ及び太さのワイヤを受けることができることである。ほとんどのユニバーサル端子ブロックは、ねじで留める接続で動作される。他方で、前記電気的インタフェースのコネクタは、前記取付け部から前記照明器具部への電気的な接続をするよう適応される。それは、ユニバーサルであるよう設計されず、好ましくは、特定の工具なしに動作されるよう設計される。ほとんどの場合、前記設置者は、前記照明器具部と前記取付け部との間の電気的な接続をしながら、前記照明器具部を保持するので、これは、特定の工具の必要なしに前記照明器具部を前記取付け部に電気的に接続することを可能にする。この実施例においては、前記取付け部は、前記壁又は天井の中の前記ワイヤから前記照明器具部へ電力が送られ得るような前記ユニバーサル端子ブロックと前記電気的インタフェースのコネクタとの間の電気的な接続を更に有する。前記電気的な接続がされる前に、前記取付け部は、例えばねじを用いる既知の方法で、前記壁又は天井の所望の位置に機械的に取り付けられることができ、その後、前記電気配線は、前記ユニバーサル端子ブロックに挿入されることができる。これは、前記設置者が、現在の照明器具の場合にはよくあるように、前記照明器具部、前記取付け部及び前記配線を同時に把持する必要があるというよりはむしろ、既に取り付けられている前記取付け部に前記配線を安全に接続するために両手に何も持っていないので、ずっと安全な設置をもたらす。
【０００９】
好ましくは、前記取付け部は、レールを更に有する。このレールは、上記のようなユニバーサル端子ブロック及び一様なインタフェースのコネクタを有する電気的部分組立品を具備し得る。前記電気的部分組立品は、前記電気的部分組立品が前記レールに沿ってスライドすることができるように前記レール上に配設され得る。これは、前記電気端子ブロックが前記レールに沿って移動され得るので、前記設置者が、前記電線に対する前記電気端子ブロックの位置に関する制約を考慮に入れずに、前記壁又は天井の所望の位置に前記取付け部を取り付けることを可能にする。即ち、前記取付け部は、前記設置者又はエンドユーザによって望まれるような位置に取り付けられることができ、前記電気的組立品は、前記電気配線に十分近い位置にスライドされることができる。これは、前記設置者が、これ以外の場合には必要であり得る、前記電気的部分組立品と既存の配線との間に配線を延ばす必要を取り除く。
【００１０】
好ましくは、前記電気的部分組立品は、上述の２つの別々の電気コネクタの役割を果たす単一の電気コネクタを有し、前記コネクタは、前記設置者が前記既存の配線を挿入する一方の側においてユニバーサルであり、他方の側は、前記ドライバと接続する配線に接続されるより標準的なソケットとの接続のためのより標準的なプラグである。
【００１１】
照明器具組立体を取り付ける方法は、
―  前記照明器具組立体の取付け部を壁又は天井に取り付けるステップと、
―  前記照明器具組立体の照明器具部を、前記取付け部に、弾性プラグ及び対応する穴によって、着脱可能に取り付けるステップとを有し、前記照明器具部を前記取付け部に着脱可能に取り付けるステップは、前記弾性プラグを前記対応する穴の近くに配置するステップと、前記弾性プラグを付勢に逆らって押すステップと、前記弾性プラグを前記対応する穴に係合するステップと、前記プラグを開放するステップとを更に有する。
【００１２】
設置ガイドが供給されてもよく、このガイドは、前記照明器具を取り付ける方法を実行するための指示を有し、このガイドは、紙の文書の形態をとってもよく、又は記録媒体に記憶されてもよい。それは、設置を実行しながらモバイルデバイスにおいて閲覧されるアプリであってもよい。それは、インタラクティブ設置ガイドを供給するウェブサイトに対するリンク又はビデオであってもよい。
本発明のこれら及び他の態様は、以下でより詳細に述べられ、下の図面から明らかになるだろう。
【図面の簡単な説明】
【００１３】
【図１】本発明の実施例による、一緒に接続されている、照明器具部、取付け部及び電気的部分組立品を示す。
【図２】取付け部及び電気的部分組立品の実施例を示す。
【図３】弾性プラグの実施例のより詳細な図を示す。
【図４】本発明の実施例による、取付け部に取り付けられており、照明器具部のスロットと係合している弾性プラグの断面図を示す。
【図５】本発明の他の実施例による、取付け部に取り付けられており、照明器具部のスロットと係合している弾性プラグの断面図を示す。
【図６】本発明の実施例による、取付け部に取り付けられている弾性プラグの断面図を示す。
【発明を実施するための形態】
【００１４】
図１は、照明器具組立体の実施例の３Ｄ立面図を示している。取付け部は、少なくとも１つの弾性プラグを有する。図面には、２つの弾性プラグが示されており、図面の左側に１つの弾性プラグが示されており、図面の右側に別の弾性プラグが示されている。弾性プラグの各々が、（この具体例においては図示されていない）ハウジングと、プランジャー６と、付勢手段７とを有する。取付け部は、更に、レール２と、レール２上の或る位置に示されている電気的部分組立品３Ａ、３Ｂとを有する。ユニバーサル端子ブロック３Ａは、一方の側において、壁又は天井の中の既存配線に接続されることができると共に、他方の側において、電気的インタフェースコネクタ３Ｂに接続されることができる。ユニバーサル端子ブロック３Ａと電気的インタフェースコネクタ３Ｂとの間の接続は、取付け部内の内部でなされる。図１においては、電気的インタフェースコネクタは、MATE N LOK（登録商標）コネクタとして図示されており、接続位置において雄及び雌コネクタを示している。この実施例においては、ユニバーサル端子ブロック３Ａは、電気的インタフェースコネクタ３Ｂの雄部に接続される。電気的インタフェースコネクタ３Ｂの雌部は、照明器具組立体の照明器具部に含まれ、照明器具部内の内部で照明器具のドライバ５に接続する。電気的な接続がされている状態で、（図１においてはカバーとして示されている）照明器具部１は、プランジャーが、照明器具部の対応するスロットと係合し、斯くして、両方のパーツを互いに固定するように、（図１においてはレールとして示されている）取付け部に対して操作される。その場合、電気配線１９は、照明手段に電力を供給するよう照明器具から出ている。
【００１５】
弾性プラグは、一般に、レール２の端部に位置するが、他の実施例は、弾性プラグが、レールに沿ってスライドすることを可能にし、斯くして、取付け部が、照明器具部の長さに沿った適切な位置において弾性固定を供給することを可能にするだろう。
【００１６】
弾性プラグがレール２の第１端部に位置し、非弾性プラグがレールの第２端部に位置する他の実施例においては、設置者は、最初に、レール又は照明器具組立体の第２端部において、非弾性プラグ（例えば、取付け部上の突出部）を、その対応するスロット（例えば、照明器具部の凹部）に係合するよう、照明器具部を動かし、次いで、レール又は照明器具組立体の第１端部において、弾性プラグを、その対応するスロットに係合するよう、照明器具部を動かすだろう。これは、非弾性プラグには可動パーツがないことにより、製造プロセスを簡単にし、機械的信頼性を高めるので、コストを節約する利点を供給する。
【００１７】
非弾性プラグ及び対応する穴は、多くの方法で製造されることができ、考えられる最も適切な方法は、（射出成形若しくは鋳造される）成形パーツ、又は機械加工パーツであるだろう。好ましくは、大量且つ低コストのパーツのためのプロセスの適性により、射出成形パーツが好ましいだろう。
【００１８】
弾性プラグのハウジング４は、多くの方法で製造されることができ、実施例は、２つ以上のパーツでハウジングを製造するものであるだろう。パーツの嵌合面間の好ましい方向は、穴の中央線と同軸であるだろう。前記２つ以上のパーツは、内部に形成される段付き穴の一部を有するだろう。プランジャーは、或る端部に隆起肩部を有し、ばねとともに或るパーツに入れられるだろう。次いで、他のパーツが、位置合わせされ、斯くして、プランジャーを拘束する。
【００１９】
他の実施例は、互いにヒンジ結合される２つのパーツでハウジングを製造するものであるだろう。各パーツにおいて段付き穴の一部が形成され、段付きプランジャー及びばねが或るパーツに挿入され、他のパーツが適切な位置にヒンジ結合される場合、プランジャーは拘束されるだろう。 
【００２０】
図２は、取付け部の実施例を示している。取付け部は、電気的部分組立品３Ａ、３Ｂが配置されるレール２を有し、好ましくは、この部分組立品は、レールに沿ってスライドすることができる。弾性プラグは、レール２の両端部に位置する。それらは、付勢手段（図示せず）を取り付けられるハウジング４と、プランジャー６とを有する。取付け部は、ハウジング４の複数の穴９を用いて、所望の位置において、壁又は天井に取り付けられる。 
【００２１】
電気的部分組立品は、好ましくは、レールに沿ってスライドすることができ、これは、照明器具組立体が、壁又は天井の所望の位置に前から存在する配線の中央ではない位置に取り付けられるべきである場合に、設置者が電気配線を容易に接続することを可能にする。これは、設置者に幾つかの利点を供給する。第１に、設置者は、現在の場合と比べて壁又は天井の既存の配線によって左右されない所望の位置に照明器具組立体を配置することができる。第２に、設置者が、既存の配線とユニバーサル端子ブロック３Ａとの間に配線を延ばす必要がないので、付加的なワイヤ又はコネクタのための付加的なコストがかかる影響はない。第３に、設置者が、付加的な配線及びコネクタが調達される間、設置を中断しなければならない必要がない。これらの利点は、設置者にコスト及び時間の両方の節減をもたらす。
【００２２】
図３は、穴１０を有するハウジング４を含む弾性プラグの実施例を示している。付勢手段７は、穴の中に位置し、穴の閉じた端部及びプランジャー６に作用するよう構成される。プランジャーは、ハウジング４の２つのスロット１２に嵌まる２つの突出部１１を有し、プランジャー６が挿入されると、それは、突出部１１が、最早、スロット（１２）と一直線に並ばず、拡大された穴内で拘束されるように回転される。 
【００２３】
プランジャーの他の実施例は、周囲に配設される１つ以上のスロットを有し得る。これらのスロットは、部分的にプランジャーの長さに沿って延在することができ、プランジャーの端部に達する前に終わるだろう。ハウジング４は、穴の中へ突出する、対応するピンを有することができ、プランジャーを拘束し、それが穴の外へ付勢されるのを防止する。
【００２４】
当業者により、弾性プラグの多くの他の実施例が容易に考えられ得る。 
【００２５】
図４は、弾性プラグの好ましい実施例を断面図で示しており、照明器具部の対応する穴に関連して描かれている。ハウジング４はレール２上に配置され、ハウジング４は段付き穴１４を有する。穴の第１部分は、プランジャー６を配置するよう構成され、穴の第２部分は、拡大されており、プランジャー６の突出部１１を拘束する。プランジャー６内に取り付けられる付勢手段７があり、この付勢手段７は、ハウジング４の閉じた面１８及びプランジャー６に作用する。図４に示されている構成においては、プランジャー６は、長手方向に動くことができるが、突出部１１及び段付き穴１４の拡大部が、付勢手段７がプランジャー６を段付き穴１４の領域から移動させるのを防止することによって、プランジャー６の動きを制約するよう作用する。プランジャー６は、スロット１５を通してノーズ部１６を配置することによって照明器具部１のスロット１５と協働することを目的とするノーズ部１６を有してもよく、斯くして、照明器具部１を取付け部に固定する。
【００２６】
図５は、弾性プラグの他の実施例を断面図で示している。ハウジング４は、レール２上に配置され、ハウジングは、全体を通して形成される穴１０を有する。プランジャー６は、穴に挿入される。プランジャーは、好ましくは、（ポリオキシメチレン（ＰＯＭ）又はナイロンなどの）固有の弾力性を持つ材料から製造され得る。この実施例においては、取り付けられる外部付勢手段はない。付勢作用は、ハウジング４に作用するプランジャー６の指状突起１３によって供給される。これらの指状突起が作用する面は、多くの方法で実現されることができ、例えば、それは、ハウジングに切り込んだスロット、又は段付き穴であり得る。プランジャーが指状突起によってハウジングの外へ付勢されるのを防止するため、少なくとも２つの他の指状突起１７が設けられ、これらの他の指状突起は、好ましくは、端部に形成される戻し部(return)を持つ。プランジャーが穴に挿入されるとき、これらの指状突起１７は内側へ傾斜し、戻し部が穴の端面を通過したとき、それらはそれらの元の位置に戻り、斯くして、プランジャー６を穴１０に固定する。
【００２７】
プランジャーは、動かされるとき、押し戻され、これは、指状突起１３を外側に広げさせ、プランジャーのノーズ部が凹部を作ること、即ち、内側へ動くことを可能にする。プランジャーのノーズ部の内側位置は、プランジャーのノーズ部を、照明器具部の対応するスロットから外すことを可能にし、斯くして、照明器具部を取付け部から分離することを可能にする。プランジャーから力が取り除かれるとき、指状突起１３は、それらの下の位置に戻り、プランジャーのノーズ部は、再び突出する。
【００２８】
この実施例の利点は、組み立ての簡単さ、及び関連コスト便益を伴う使用パーツ数の削減である。
【００２９】
図６は、弾性プラグの他の実施例を示しており、ここでは、弾性プラグは、再び、取付け部に配設されている。ハウジング４は、レール２上に配置される。ハウジングは、貫通穴、即ち、両端部が開いている穴を具備する。この穴の中に配置されているのは、プランジャー６であり、プランジャー６は、一方の端部に、照明器具部の対応するスロットと係合するためのノーズ部を持ち、他方の端部に、湾曲付勢手段７を受けると共に、湾曲付勢手段７に接続するよう構成されるスリット部を持つ。この湾曲付勢手段は、好ましくは、プラスチックなどの固有の弾力性を持つ材料から製造される。この湾曲付勢手段は、板ばねの一種と見なされることができ、湾曲付勢手段という用語及び板ばねという用語は、他の記載において、置き換え可能に用いられ得る。
【００３０】
板ばねは、一方の端部においてプランジャー６に取り付けられ、他方の端部においてハウジング４に取り付けられる。好ましくは、プランジャーに接続する端部における板ばねのサイズは、面積において、プランジャーが配置される穴の直径より大きい。これは、動作中、板ばねが、プランジャーがハウジング４の外へ付勢されるのを防止することを意味する。当然、このばねは、多くの材料、例えば、金属から製造されることができ、それでもなお、同じ機能を実行することができる。
【００３１】
使用中、付勢手段７は、プランジャー６に作用し、プランジャーのノーズ部が、照明器具部内のスロットと係合することができるよう十分に突出することを確実にする。照明器具部が取り外されるとき、プランジャーは、ハウジング４に押し込まれ、斯くして、付勢手段７を圧縮し、プランジャーのノーズ部は、照明器具部内の対応するスロットから外れ、それが取り外されることを可能にする。 
【００３２】
この実施例の利点は、軽さ、製造及び組み立ての簡単さ、並びに低いコストである。
【００３３】
照明器具組立体を取り付けるための方法は、 
―  前記照明器具組立体の取付け部を壁又は天井に取り付けるステップと、
―  前記照明器具組立体の照明器具部を、前記取付け部に、弾性プラグ及び対応する穴によって、着脱可能に取り付けるステップとを有する。
【００３４】
前記照明器具部を前記取付け部に着脱可能に取り付けるステップは、前記弾性プラグを前記対応する穴の近くに配置するステップと、前記弾性プラグを付勢に逆らって押すステップと、前記弾性プラグを前記対応する穴に係合するステップと、前記プラグを開放するステップとを更に有する。
【００３５】
前記照明器具組立体の取付け部を取り付けるステップは、既知の手段を用いて前記取付け部を所望の位置に取り付けるステップを更に有する。これらの既知の手段は、例えば、弾性プラグのハウジングの取付け穴を通して取り付けられる、又は直接、レールを通して取り付けられる、ねじを含み得る。レールを通して取り付けられる場合、ねじは皿穴に埋められるのが好ましい。これは、電気的部分組立品がスライドし得る平坦な表面、又は取付け部を所望の位置に取り付けるフックを供給し得る。
【００３６】
好ましくは、前記照明器具部を前記取付け部に着脱可能に取り付けるステップは、電気配線を接続するステップを更に有し、このステップは、好ましくは、既存配線をユニバーサル端子ブロックに接続するステップを更に有する。 
【００３７】
好ましくは、前記照明器具部を前記取付け部に着脱可能に取り付けるステップは、標準的な電気コネクタの２つのパーツを接続するステップであって、前記２つのパーツのうちの一方パーツが、前記照明器具部内のドライバに接続され、他方のパーツが、前記ユニバーサル端子ブロックに接続する配線を有するステップを更に有する。
【００３８】
設置を容易にするよう設置ガイドが供給され得る。このガイドは、紙の文書の形態であってもよく、記録媒体に記憶されてもよく、モバイルデバイスにアプリとして供給されてもよく、ビデオとして供給されてもよく、又は設置者がインタラクティブ取付けガイドのためのウェブサイトにログオンすることを可能にするウェブサイトアドレスが供給されてもよい。
【００３９】
本発明を、図面において図示し、上記の説明において詳細に説明しているが、このような図及び説明は、説明的なもの又は例示的なものとみなされるべきであって、限定するものとみなされるべきではない。本発明は、開示されている実施例に限定されない。
【００４０】
照明器具部が弾性プラグを有してもよく、取付け部が対応する穴を有してもよいことは、当業者には理解され得る。これは、取付け部が、その場合、非常に単純になり、それ故、パーツを製造するのが安価になるという利点を与える。
【図１】
0006342475.tif 000002
【図２】
0006342475.tif 000003
【図３】
0006342475.tif 000004
【図４】
0006342475.tif 000005
【図５】
0006342475.tif 000006
【図６】
0006342475.tif 000007